(57)【要約】【課題】  該透視窓付き袋状収納容器内に収納された内容物を外部から視認することができる各種の図柄を表示するように形成された透視窓を備える透視窓付き袋状収納容器につき、その内容物に看者の興味をより強く惹かせるようにした透視窓付き袋状収納容器を提供する。【解決手段】  透視窓付き袋状収納容器１は、これを構成する袋体２が、内容物Ａを収納するための空間を形成するものであり、透視部３と非透視部４とを有しており、各種の図柄を表示するように、複数の透視部３から透視窓５が形成されているとともに、隣接する透視部３は非透視部４によって相互に隔てられており、透視部３の周縁には縁取線６が描かれている。【選択図】      図２
0003192024.tif 000002
【実用新案登録請求の範囲】
【請求項１】
該透視窓付き袋状収納容器内に収納された内容物を外部から視認することができる各種の図柄を表示するように形成された透視窓を備える透視窓付き袋状収納容器であって、該透視窓付き袋状収納容器を構成する袋体は、該内容物を収納するための空間を形成するものであり、透視部と非透視部とを有しており、各種の図柄を表示するように、複数の該透視部から該透視窓が形成されているとともに、隣接する該透視部は該非透視部によって相互に隔てられており、該透視部の周縁には縁取線が描かれていることを特徴とする透視窓付き袋状収納容器。
【請求項２】
該透視窓付き袋状収納容器内に収納された内容物を外部から視認することができる各種の図柄を表示するように形成された透視窓を備える透視窓付き袋状収納容器であって、該透視窓付き袋状収納容器を構成する袋体は、該内容物を収納するための空間を形成するものであり、ビニール地で形成されていて、着色されていない透視部と着色されている非透視部とを有しており、各種の図柄を表示するように、複数の該透視部から透視窓が形成されているとともに、隣接する該透視部は該非透視部によって相互に隔てられており、該透視部の周縁には縁取線が描かれていることを特徴とする透視窓付き袋状収納容器。
【考案の詳細な説明】
【技術分野】
【０００１】
本考案は、筆入れ、ポーチ、トートバッグ、リュックサック、及びカバン等の各種の袋状収納容器に関し、特に、その内部に収納した筆記用具、化粧品、各種の小物、書類及び商店で購入した商品等の内容物を外部から視認することができる透視窓を備える透視窓付き袋状収納容器に関する。
【背景技術】
【０００２】
従来、該袋状収納容器内に収納された内容物を該袋状収納容器の内部から取り出すことなく外部から視認することができるように透視窓を備えた透視窓付き袋状収納容器が提案されてきたところである。そして、そのような透視窓として様々な図形、模様、文字、又は記号等の各種の図柄を表示するように形成された透視窓を備える透視窓付き袋状収納容器が提案されている（例えば、特許文献１及び２参照。）。
【先行技術文献】
【特許文献】
【０００３】
【特許文献１】特開２０１０−８９７９６号公報
【特許文献２】特開２０１１−６３２８６号公報
【０００４】
上記の従来技術に係る透視窓付き袋状収納容器によれば、その内容物を該透視窓付き袋状収納容器の内部から取り出すことなく透視窓を通して外部から簡便に確認することができる。とりわけ、そのような透視窓として各種の図柄を表示するように形成された透視窓を備える透視窓付き袋状収納容器であれば、該透視窓付き袋状収納容器の美観性を向上させることもでき、一層好適である。
【考案の概要】
【考案が解決しようとする課題】
【０００５】
ところで、透視窓付き袋状収納容器にあっては、その内容物に看者の興味を惹かせることを目的として透視窓を設けたものがある。即ち、透視窓付き袋状収納容器を商店の買物袋として用いることによって、看者は該透視窓を通して該買物袋の使用者が該商店で購入した商品を外部から視認することができるため、該買物袋の使用者がいかなる商店においていかなる商品を購入したのか看者の興味を惹かせることができるから、該買物袋は広告宣伝部材としても有用である。そこで、本考案の解決しようとする課題は、該透視窓付き袋状収納容器内に収納された内容物を外部から視認することができる各種の図柄を表示するように形成された透視窓を備える透視窓付き袋状収納容器につき、その内容物に看者の興味をより強く惹かせるようにした透視窓付き袋状収納容器を提供することにある。
【課題を解決するための手段】
【０００６】
本考案は、上記の課題を解決するために提案されたものであり、以下の構成を有するものである。以下では、本考案の構成を理解するのを補助するため、本願に添付した図面に表示した番号及び符号を併せて記載する。
【０００７】
請求項１に係る透視窓付き袋状収納容器１は、透視窓付き袋状収納容器１内に収納された内容物Ａを外部から視認することができる各種の図柄を表示するように形成された透視窓５を備える透視窓付き袋状収納容器であって、透視窓付き袋状収納容器１を構成する袋体２は、内容物Ａを収納するための空間を形成するものであり、透視部３と非透視部４とを有しており、各種の図柄を表示するように、複数の透視部３から透視窓５が形成されているとともに、隣接する透視部３は非透視部４によって相互に隔てられており、透視部３の周縁には縁取線６が描かれている。
【０００８】
請求項２に係る透視窓付き袋状収納容器１は、透視窓付き袋状収納容器１内に収納された内容物Ａを外部から視認することができる各種の図柄を表示するように形成された透視窓５を備える透視窓付き袋状収納容器であって、透視窓付き袋状収納容器１を構成する袋体２は、内容物Ａを収納するための空間を形成するものであり、ビニール地で形成されていて、着色されていない透視部３と着色されている非透視部４とを有しており、各種の図柄を表示するように、複数の透視部３から透視窓５が形成されているとともに、隣接する透視部３は非透視部４によって相互に隔てられており、透視部３の周縁には縁取線６が描かれている。
【考案の効果】
【０００９】
本考案に係る透視窓付き袋状収納容器は、上記の通りの構成であるから、以下のような効果を奏することができる。
【００１０】
まず、請求項１に記載した透視窓付き袋状収納容器は、前記複数の透視部から前記透視窓が形成されており、隣接する該透視部は前記非透視部によって相互に隔てられていることによって、看者は該透視部を通して該透視窓付き袋状収納容器内に収納された内容物を外部から僅かに窺い知ることができるため、その内容物に看者の興味をより強く惹かせることができる。また、該透視部の周縁には縁取線が描かれていることによって、該透視窓に看者の注意を更に惹くことができるため、その内容物に看者の興味をより強く惹かせることができる。
【００１１】
そうすると、特に該透視窓付き袋状収納容器を商店の買物袋として用いる場合、該買物袋の使用者がいかなる商店においていかなる商品を購入したのか看者の興味を一層惹かせることができるため、買物袋として用いる該透視窓付き袋状収納容器は広告宣伝部材としてとりわけ有用である。従って、請求項１に記載した透視窓付き袋状収納容器は、該透視窓付き袋状収納容器内に収納された内容物を外部から視認することができる各種の図柄を表示するように形成された透視窓を備える透視窓付き袋状収納容器につき、その内容物に看者の興味をより強く惹かせるようにした透視窓付き袋状収納容器を提供するという本考案が解決しようとする課題を解決することができる。
【００１２】
また、請求項２に記載した透視窓付き袋状収納容器は、該透視窓付き袋状収納容器を構成する前記袋体が、ビニール地で形成されていて、前記透視部には着色加工等を施さず、前記非透視部には着色加工等を施して袋状に形成するものであるから、簡便に該透視窓付き袋状収納容器を作製することができ、好適である。
【００１３】
もちろん、請求項１及び２に記載した透視窓付き袋状収納容器は、上記の従来技術に係る透視窓付き袋状収納容器と同様に、その内容物を該透視窓付き袋状収納容器の内部から取り出すことなく該透視窓を通して外部から簡便に確認することができる。また、該透視窓付き袋状収納容器は、該透視窓が各種の図柄を表示するように形成されていることから、その美観性も高いものである。
【図面の簡単な説明】
【００１４】
【図１】本考案の一実施形態に係る透視窓付き袋状収納容器を示した斜視図である。
【図２】本考案の一実施形態に係る透視窓付き袋状収納容器を使用する状態を説明する斜視図である。
【考案を実施するための形態】
【００１５】
本考案の一実施形態に係る透視窓付き袋状収納容器の構造及びその使用態様について添付図面に基づいて説明する。
【００１６】
本考案の一実施形態に係る透視窓付き袋状収納容器１は、図１及び２に図示するように、透視窓付き袋状収納容器１内に収納された内容物Ａを外部から視認することができる各種の図柄を表示するように形成された透視窓５を備える透視窓付き袋状収納容器である。
【００１７】
図１及び２では透視窓付き袋状収納容器１は把持部７を備えた角型のビニール製バッグであるが、筆入れ、ポーチ、トートバッグ、リュックサック、及びカバン等の各種の袋状収納容器であって、その内部に収納した筆記用具、化粧品、各種の小物、書類及び商店で購入した商品等の内容物Ａを外部から視認することができる透視窓５を備える透視窓付き袋状収納容器であればよく、必ずしも図示するような把持部７を備えた角型のビニール製バッグに限定されるものではない。
【００１８】
図１及び２に図示するように、透視窓付き袋状収納容器１を構成する袋体２は、内容物Ａを収納するための空間を形成するものであり、例えばビニール地を袋状に形成した部材である。そして、袋体２は、着色されていない透視部３と着色されている非透視部４とを有しており、各種の図柄を表示するように、複数の透視部３から透視窓５が形成されているとともに、隣接する透視部３は非透視部４によって相互に隔てられており、透視部３の周縁には縁取線６が描かれている。図１及び２では透視窓５は植物の図柄を表示するように形成されているが、必ずしも図示するような図柄に限定されるものではない。また、非透視部４に模様等を描いて装飾を施すことによって、透視窓付き袋状収納容器１の美観性を更に高めることもできる。
【００１９】
透視窓付き袋状収納容器１は、例えば、透明なビニール地を用いて、透視窓５が各種の図柄を表示するように、透視部３については透視窓付き袋状収納容器１内に収納した内容物を外部から視認することができるように着色加工等を施すことなく、非透視部４についてはその内容物を外部から視認することができないように着色加工等を施して、透視部３の周縁に縁取線６を描く。そして、このような加工を施したビニール地を袋状に形成し、把持部７を取り付けて、透視窓付き袋状収納容器１を製作することができる。
【００２０】
あるいはまた、透視窓付き袋状収納容器１は、既に着色加工等の施されたビニール地を用いて、透視窓５が各種の図柄を表示するように、所望の形状に切り抜いて、該切り抜いた部分を閉塞するように透明なビニール地を貼り付けて、透視部３を形成し、透視部３の周縁に縁取線６を描く。そして、このような加工を施したビニール地を袋状に形成し、把持部７を取り付けて、透視窓付き袋状収納容器１を製作することもできる。
【００２１】
使用者は、図２に図示するように、筆記用具、化粧品、各種の小物、書類及び商店で購入した商品等の内容物Ａを開口部８から透視窓付き袋状収納容器１の内部へと収納する。そうすると、看者は透視部３から透視窓付き袋状収納容器１内に収納された内容物Ａを僅かに窺い知ることができるため、内容物Ａにその興味を強く惹かれることになる。また、透視部３の周縁には縁取線６が描かれていることによって、看者は透視窓５に更に注意を惹かれるため、内容物Ａにその興味をより強く惹かれることになる。
【００２２】
よって、特に透視窓付き袋状収納容器１を商店の買物袋として用いる場合、その買物袋の使用者がいかなる商店においていかなる商品を購入したのか看者の興味を一層強く惹かせることができるため、買物袋として用いる透視窓付き袋状収納容器１は広告宣伝部材としてとりわけ有用である。
【００２３】
もちろん、透視窓付き袋状収納容器１によれば、使用者は内容物Ａを開口部８から取り出すことなく透視窓付き袋状収納容器１の内部に収納したまま透視窓５を通して外部から簡便に確認することができる。また、透視窓付き袋状収納容器１は、透視窓５が各種の図柄を表示するように形成されていることから、その美観性も高いものである。
【符号の説明】
【００２４】
１  透視窓付き袋状収納容器
２  袋体
３  透視部
４  非透視部
５  透視窓
６  縁取線
７  把持部
８  開口部
Ａ  内容物
【図１】
0003192024.tif 000003
【図２】
0003192024.tif 000004